(57)【特許請求の範囲】
【請求項１】
正面板（４）と背面板（５）と左右の側面板（６、７）とを四方に配した有底のかご本体（２）と、前記かご本体（２）の正面板（４）と背面板（５）との上辺それぞれに連接した蓋板（１３、１４）が上下に重ね合わされて、この重ね合わされた二枚の蓋板（１３、１４）がかご本体（２）の上部を正面板（４）から背面板（５）に略コ字状にしてまたがって形成された天部（３）とを備えるキャリー箱（１）であって、
前記背面板（５）の上辺に連接された蓋板（１３）は、この蓋板（１３）の基端側に位置してかご本体（２）に連接されて背面板（５）の縦方向に沿って立つ蓋板基端面部（１６）と、前記蓋板基端面部（１６）に屈曲した山折り部（１９）を介して連接された蓋板平面部（１７）と、前記蓋板平面部（１７）に屈曲した山折り部（１９）を介して連接されて正面板（４）の縦方向に沿って立つ蓋板先端面部（１８）とからなり、
前記正面板（４）の上辺に連接された蓋板（１４）は、この蓋板（１４）の基端側に位置してかご本体（２）に連接されて正面板（４）の縦方向に沿って立つ蓋板基端面部（２１）と、前記蓋板基端面部（２１）に屈曲した山折り部（１９）を介して連接された蓋板平面部（２２）と、前記蓋板平面部（２２）に屈曲した山折り部（１９）を介して連接されて背面板（５）の縦方向に沿って立つ蓋板先端面部（２３）とからなり、
前記天部（３）での外方となる蓋板（１４）の蓋板平面部（２２）と内方となる蓋板（１３）の蓋板平面部（１７）とが、蓋板重ね合わせ状態での重なる位置にして配置され、
前記天部（３）での正面板（４）上辺側で、外方となる蓋板（１４）の蓋板基端面部（２１）と内方となる蓋板（１３）の蓋板先端面部（１８）とが、蓋板重ね合わせ状態での重なる位置にして配置され、
前記天部（３）での背面板（５）上辺側で、内方となる蓋板（１３）の蓋板基端面部（１６）と外方となる蓋板（１４）の蓋板先端面部（２３）とが、蓋板重ね合わせ状態での重なる位置にして配置され、
前記外方の蓋板平面部（２２）と前記内方の蓋板平面部（１７）とのそれぞれには、天部（３）の正面板（４）側と天部（３）の背面板（５）側とに手提げ孔形成予定部（３０）を有して、天部（３）での外方となる手提げ孔形成予定部（３０）と内方となる手提げ孔形成予定部（３０）とが、蓋板重ね合わせ状態で重なる位置にして配置されているとともに、
前記外方の蓋板平面部（２２）と前記内方の蓋板平面部（１７）とのそれぞれには、天部中心を通る位置であってかご本体（２）の側面板（６、７）対向方向に亘る屈曲可能な山折り予定部（３２）を有していて、天部（３）での外方となる山折り予定部（３２）と内方となる山折り予定部（３２）とが、蓋板重ね合わせ状態で重なる位置にして配置され、
天部（３）での外方となる蓋板（１４）の蓋板先端面部（２３）には、かご本体（２）に係止する係止片が設けられていて、
前記外方となる蓋板先端面部（２３）の係止片がかご本体（２）に係止して、外方の蓋板（１４）と内方の蓋板（１３）とが重ね合わされた前記蓋板重ね合わせ状態で前記屈曲した山折り部（１９）の開きを伴なって内外二重にして重ね合わされている前記山折り予定部（３２）を上方に凸に屈曲したときに、内外二重にして重ね合わされている蓋板（１３、１４）が上方に凸の山形に変形して、天部（３）の正面板（４）側に位置して内外二重にして重ね合わされている手提げ孔形成予定部（３０）と天部（３）の背面板（５）側に位置して内外二重にして重ね合わされている手提げ孔形成予定部（３０）とが近接する構成とされていることを特徴とするキャリー箱。
【請求項２】
上記手提げ孔形成予定部（３０）は、上記蓋板平面部（１７、２２）を切り込み形成して折り下げ可能とされた閉鎖片（３０ａ）で開き可能に閉鎖されている請求項１に記載のキャリー箱。
【請求項３】
上記かご本体（２）の底上面から、上記外方となる蓋板（１４）の蓋板平面部（２２）と上記内方となる蓋板（１３）の蓋板平面部（１７）とを重ね合わせて形成されている天部（３）の平板状部分（３ａ）の下面までの高さが、収容物の高さと略同一とされている請求項１または２に記載のキャリー箱。
【発明の詳細な説明】
【技術分野】
【０００１】
本発明は、収容物を収容した状態で数段に積み重ねできるとともに、天部の部分に必要に応じて手提げ孔が得られて手提げにて搬送ができるようにしたキャリー箱に関するものである。
【背景技術】
【０００２】
従来からスーパーマーケットなどの小売店では、缶ビールやボトル飲料などの商品を複数本まとめて、これを片手持ちできる大きさの包装形態にして店頭販売することが多く行われている。そして、このような包装形態とする場合には天部を平らにした紙製の包装箱が用いられており、陳列スペースを有効に利用するため、また顧客へのアイキャッチ効果を高めるために前記包装形態のままで包装箱を複数段に積み重ねて陳列することも行なわれている。
【０００３】
このような包装箱では、商品を購入した顧客が包装箱を持ち易くなるようにした工夫が提案されている。例えば特許文献１では、正面板と背面板との上辺に連接されてそれぞれに手提げ孔を有する蓋板を重ね合わせて箱の天部を平たくするとともに、必要時には蓋板の重ね合わせを一旦解いてからその蓋板の先端側を係止させ合い、起きた蓋板それぞれの手提げ孔に手先を通して手提げできるようにした点が示されている。
【０００４】
特許文献２では、箱胴部で対向する二面の側面板の上辺に把手片を連接し、もう一組の対向二面の側面板の上辺に蓋板を連接した箱が示されていて、把手片二枚を折り重ねたその上に二枚の蓋板を折り重ねることで天部を平らにでき、また閉じた蓋板を一旦開いてから把手片それぞれの引き起こしをして、再び蓋板を重ね合わせして箱胴部の上面を閉じ、引き起こした把手片の先端を突き合わせして、この把手片それぞれの切り出し片を折り倒すことで手提げ孔を形成するようにした点が示されている。
【先行技術文献】
【特許文献】
【０００５】
【特許文献１】実公昭５４−０１４２８１号公報
【特許文献２】実公昭３９−０２８４９５号公報
【発明の概要】
【０００６】
上述した特許文献に示されている箱は、手提げして持ち運びができる点では便利な包装の箱となっているが、その箱の天部が平らな形態から手提げできる形態に変化させるには、手間を要するという欠点がある。即ち、特許文献１に示された箱にあっては、天部が平らなときに、一方の蓋板（手提げ孔がある蓋板）の先端の係止片を、重ね合わせで内方となる他方の蓋板（手提げ孔のある蓋板）の基端の係止孔に係止させていて、手提げできる形態とするには、一方の蓋板の係止片を前記係止孔から引き抜いて蓋板それぞれを引き起こし、前記係止片を他方の蓋板の先端側にある係止孔に係止し直すという手間がある。
【０００７】
また、特許文献２に示された箱にあっては、上述したように天部が平らな形態のときには、平らに重ね合わされた二枚の蓋板の下に、二枚の把手片が位置していて、この箱を手提げできる形態とするには、二枚の把手片と二枚の蓋板との上下を組み替える必要がある。
【０００８】
そこで本発明は上記事情に鑑み、箱の平らな天部を、板材の係止部分の変更や板材の組み替えをすること無しに、手提げに適した形状に変更可能とすることを課題とし、複数段に積み重ねができるとともに、必要に応じて手提げ孔を利用して簡単に搬送できるキャリー箱を提供することを目的とするものである。
【課題を解決するための手段】
【０００９】
（請求項１の発明）
本発明は上記課題を考慮してなされたもので、正面板（４）と背面板（５）と左右の側面板（６、７）とを四方に配した有底のかご本体（２）と、前記かご本体（２）の正面板（４）と背面板（５）との上辺それぞれに連接した蓋板（１３、１４）が上下に重ね合わされて、この重ね合わされた二枚の蓋板（１３、１４）がかご本体（２）の上部を正面板（４）から背面板（５）に略コ字状にしてまたがって形成された天部（３）とを備えるキャリー箱（１）であって、
前記背面板（５）の上辺に連接された蓋板（１３）は、この蓋板（１３）の基端側に位置してかご本体（２）に連接されて背面板（５）の縦方向に沿って立つ蓋板基端面部（１６）と、前記蓋板基端面部（１６）に屈曲した山折り部（１９）を介して連接された蓋板平面部（１７）と、前記蓋板平面部（１７）に屈曲した山折り部（１９）を介して連接されて正面板（４）の縦方向に沿って立つ蓋板先端面部（１８）とからなり、
前記正面板（４）の上辺に連接された蓋板（１４）は、この蓋板（１４）の基端側に位置してかご本体（２）に連接されて正面板（４）の縦方向に沿って立つ蓋板基端面部（２１）と、前記蓋板基端面部（２１）に屈曲した山折り部（１９）を介して連接された蓋板平面部（２２）と、前記蓋板平面部（２２）に屈曲した山折り部（１９）を介して連接されて背面板（５）の縦方向に沿って立つ蓋板先端面部（２３）とからなり、
前記天部（３）での外方となる蓋板（１４）の蓋板平面部（２２）と内方となる蓋板（１３）の蓋板平面部（１７）とが、蓋板重ね合わせ状態での重なる位置にして配置され、
前記天部（３）での正面板（４）上辺側で、外方となる蓋板（１４）の蓋板基端面部（２１）と内方となる蓋板（１３）の蓋板先端面部（１８）とが、蓋板重ね合わせ状態での重なる位置にして配置され、
前記天部（３）での背面板（５）上辺側で、内方となる蓋板（１３）の蓋板基端面部（１６）と外方となる蓋板（１４）の蓋板先端面部（２３）とが、蓋板重ね合わせ状態での重なる位置にして配置され、
前記外方の蓋板平面部（２２）と前記内方の蓋板平面部（１７）とのそれぞれには、天部（３）の正面板（４）側と天部（３）の背面板（５）側とに手提げ孔形成予定部（３０）を有して、天部（３）での外方となる手提げ孔形成予定部（３０）と内方となる手提げ孔形成予定部（３０）とが、蓋板重ね合わせ状態で重なる位置にして配置されているとともに、
前記外方の蓋板平面部（２２）と前記内方の蓋板平面部（１７）とのそれぞれには、天部中心を通る位置であってかご本体（２）の側面板（６、７）対向方向に亘る屈曲可能な山折り予定部（３２）を有していて、天部（３）での外方となる山折り予定部（３２）と内方となる山折り予定部（３２）とが、蓋板重ね合わせ状態で重なる位置にして配置され、
天部（３）での外方となる蓋板（１４）の蓋板先端面部（２３）には、かご本体（２）に係止する係止片が設けられていて、
前記外方となる蓋板先端面部（２３）の係止片がかご本体（２）に係止して、外方の蓋板（１４）と内方の蓋板（１３）とが重ね合わされた前記蓋板重ね合わせ状態で前記屈曲した山折り部（１９）の開きを伴なって内外二重にして重ね合わされている前記山折り予定部（３２）を上方に凸に屈曲したときに、内外二重にして重ね合わされている蓋板（１３、１４）が上方に凸の山形に変形して、天部（３）の正面板（４）側に位置して内外二重にして重ね合わされている手提げ孔形成予定部（３０）と天部（３）の背面板（５）側に位置して内外二重にして重ね合わされている手提げ孔形成予定部（３０）とが近接する構成とされていることを特徴とするキャリー箱を提供して、上記課題を解消するものである。
【００１０】
（請求項２の発明）
そして、本発明は、上記手提げ孔形成予定部（３０）は、上記蓋板平面部（１７、２２）を切り込み形成して折り下げ可能とされた閉鎖片（３０ａ）で開き可能に閉鎖されていることが可能である。
【００１１】
（請求項３の発明）
また、本発明は、上記かご本体（２）の底上面から、上記外方となる蓋板（１４）の蓋板平面部（２２）と上記内方となる蓋板（１３）の蓋板平面部（１７）とを重ね合わせて形成されている天部（３）の平板状部分（３ａ）の下面までの高さが、収容物の高さと略同一とされていることが良好である。
【発明の効果】
【００１２】
（請求項１の発明の効果）
請求項１の発明によれば、天部における外方の蓋板の蓋板平面部と内方の蓋板の蓋板平面部とのそれぞれの山折り予定部が屈曲せずに開いた状態であるときには、重なっている内外方の前記蓋板平面部によって、かご本体の上部の天部に平板状の部分が存在しており、キャリー箱を複数段にして積み重ねることができる。
【００１３】
また、天部での内外方の上記蓋板平面部に設けられている山折り予定部を上方に凸に屈曲したときに天部が上方に凸の山形に変形して、天部正面板側の手提げ孔形成予定部と天部背面板側の手提げ孔形成予定部とが近付くようにしているので、天部を山形に変形させた後に手提げ孔形成予定部それぞれで手提げ孔を形成することで、或いは前記天部正面板側の手提げ孔形成予定部と天部背面板側の手提げ孔形成予定部とに指先を当てて天部を山形に変形させながら手提げ孔を形成することで、手提げ可能な形態が容易に得られるようになる。
【００１４】
さらに山形とされた天部の傾斜面部分に手提げ孔が得られるので、手提げ孔自体も傾斜した状態となって指先を差し入れ易くなり、特に片手で持ち運びする大きさのキャリー箱とする場合には手のひらを大きく開かなくとも、指先を容易に手提げ孔に掛けることができる。
【００１５】
そして、手提げ孔が形成される部分は内外方の蓋板が重ね合わされている部分であることから、手提げ孔自体も二重に重ね合わされたものとなり、強度が増した手提げ孔が得られる。
【００１６】
（請求項２の発明の効果）
また、請求項２の発明によれば、天部を平板状としている形態のときに手提げ孔を得る部分を閉じておくことができ、キャリー箱を複数段に積み重ねるときなどで、天部の上方から異物がかご本体側に入り込むのを防止することができる。
【００１７】
（請求項３の発明の効果）
また、請求項３の発明によれば、かご本体の底上面から天部の平板状部分の下面までの高さを、収容物の高さと略同一としているので、収容物がキャリー箱内部で支柱の役割を果たすようになり、天部の不必要な落ち込みを簡単に防止することができる。
【図面の簡単な説明】
【００１８】
【図１】本発明に係るキャリー箱の一例における天部が平坦な状態を示す説明図である。
【図２】一例をブランクの状態で示す説明図である。
【図３】天部が平坦な状態を図１のＡ−Ａ線に沿った断面で示す説明図である。
【図４】一例における天部を山形にして状態を示す説明図である。
【図５】天部を山形にした状態を図４のＢ−Ｂ線に沿った断面で示す説明図である。
【発明を実施するための形態】
【００１９】
つぎに本発明を図１から図５に示す実施の例に基づいて詳細に説明する。図中１はキャリー箱で、図１と図３に示すようにキャリー箱１は有底のかご本体２と、このかご本体２の上部開口２ａの部分にまたがって形成されていて、手提げをするときに変形させることのできる天部３とを備えてなるものである。
【００２０】
（かご本体）
上記キャリー箱１は紙製の包材であるブランクを組み起こして形成されている。そして上記かご本体２は、正面板４と背面板５と左右の側面板６，７とを四方に配した有底の箱で、ブランクによりキャリー箱の展開状態を表現している図２に示されているように右の側面板７と正面板４と左の側面板６と背面板５とが横一連にして連接されていて、背面板５の側辺にある糊代８を右の側面板７の内面に貼着することで、かご本体２の胴９が形成されている。
【００２１】
また、かご本体２の底１０にあっては底面形成板１１が、正面板４と背面板５と左右の側面板６，７とのそれぞれの下辺に連接されていて、これらの底面形成板１１により従来から知られているオートボトム形式にて胴９の組み起こしで自動的に閉じた底１０が形成されるようにしている。さらに左右の側面板６，７の上辺にはフラップ１２が連接されていて、かご本体２の上面開口２ａの中央に向けて折り曲げられている。
【００２２】
（天部）
上記天部３は、かご本体２の正面板４と背面板５との上辺それぞれに連接した蓋板１３，１４を上下に重ね合わせて、この重ね合わされた蓋板１３，１４がかご本体２の上部開口２ａを正面板４から背面板５にかけて略コ字状にしてまたがることによって形成されている。背面板５の上辺に連接された蓋板１３は重ね合わせでの下位であって、キャリー箱１の内方となる側に位置する板材である。
【００２３】
そして、本実施の例において内方の蓋板１３は背面板５の上辺に折り罫部１５を介して連接され、上述したように正面板４から背面板５にかけて略コ字状にまたがる天部３の形状とするために、背面板５の縦方向に沿って立つ蓋板基端面部１６と平面となる蓋板平面部１７と正面板４の縦方向に沿って立つ蓋板先端面部１８とからなる。
【００２４】
ブランクで示されているように蓋板基端面部１６は蓋板１３の基端側に位置して折り罫部１５を介して背面板５に連接され、蓋板平面部１７は前記蓋板基端面部１６に屈曲した山折り部１９を介して連接され、蓋板先端面部１８は前記蓋板平面部１７に屈曲した山折り部１９を介して連接されており、蓋板先端面部１８に連接の差し込み板部２０を正面板４の内面に沿うようにしてかご本体２の上部開口２ａに挿し入れている。
【００２５】
正面板４の上辺に連接された蓋板１４は重ね合わせでの上位であって、キャリー箱１の外方となる側に位置する板材である。そして、外方の蓋板１４は正面板４の上辺に折り罫部１５を介して連接され、上記蓋板１３と同じように略コ字状にまたがる天部３の形状とするために、正面板４の縦方向に沿って立つ蓋板基端面部２１と平面となる蓋板平面部２２と背面板５の縦方向に沿って立つ蓋板先端面部２３とからなる。
【００２６】
ブランクで示されているように蓋板１４の蓋板基端面部２１は蓋板１４の基端側に位置して折り罫部１５を介して正面板４に連接され、蓋板平面部２２は前記蓋板基端面部２１に屈曲した山折り部１９を介して連接され、蓋板先端面部２３は前記蓋板平面部２１に屈曲した山折り部１９を介して連接されており、蓋板先端面部２３に連接の差し込み板部２４を係止片として、背面板５の上辺である折り罫部１５の位置にスリット状にして設けられた係止孔２５に挿し入れて係止させている。
【００２７】
天部３にあっては蓋板１３と蓋板１４とのそれぞれの上記面部が相対して接するように重なっている。具体的には、外方の蓋板１４における蓋板平面部２２と内方の蓋板１３における蓋板平面部１７とが蓋板重ね合わせ状態での重なる位置にして配置されて天部３での平板状部分３ａを形成し、その平板状部分３ａをかご本体２の上部開口２ａの上方に位置させている。
【００２８】
また、正面板４の上辺側では、外方の蓋板１４における蓋板基端面部２１と内方の蓋板１３における蓋板先端面部１８とが蓋板重ね合わせ状態での重なる位置にして配置され、背面板５の上辺側では、内方の蓋板１３における蓋板基端面部１６と外方の蓋板１４における蓋板先端面部２３とが蓋板重ね合わせ状態での重なる位置にして配置されている。さらに、蓋板１３と蓋板１４とのそれぞれの山折り部１９も、蓋板重ね合わせ状態での重なる位置にして配置されている。このように蓋板１３と蓋板１４とのそれぞれの上記面部が相対して接するように重なるとともに、屈曲した山折り部１９も内外方で重なることで、天部４が略コ字状の形状となるようにしている。
【００２９】
外方の蓋板１４の蓋板先端面部２３に連接の差し込み板部２４は、上述したように背面板５の上辺側の折り罫部１５に重なる位置の係止孔２５に挿し入れて係止するものである。さらに本実施の例では、差し込み板部２４の基端側の折り罫部２６の位置に、スリット状にした係止孔２７を設けているとともに、背面板５の上辺側の中央部分から蓋板基端面部１６の領域に入り込むようにして切り込み形成された舌片２８を設けている。
【００３０】
そして、係止孔２５に挿し入れて係止した差し込み板部２４に前記舌片２８を掛けることで、差し込み板部２４がダブルロック形式でかご本体２の背面板５に連結している。外方の蓋板１４の差し込み板部２４を背面板５に連結することで、その外方の蓋板１４と内方の蓋板１３との重ね合わせ状態が不用意に解かれず、後述の手提げの形態でキャリー箱１と取り扱うときにもこの重ね合わせが不用意には解けないようにしている。
【００３１】
（収容空間の高さ）
キャリー箱１では、天板３の平板状部分３ａが平らな状態であるとき、かご本体２の底１０の上面から前記平板状部分３ａの下面（即ち、内方の蓋板平面部１７の下面）までの収容空間の高さ２９を、かご本体２に収容した収容物の高さと略同一としている。
【００３２】
これによって、キャリー箱１を複数段に積み重ねた場合に、その積み重ねの上下における下位のキャリー箱１の天部３に上方から荷重が加わっても、収容物の頂部が天部３の平板状部３ａの下面に接して、収容物自体が収容空間内で支柱の役割を果たすこととなり、天部３が押し下げられて変形することを確実に防止する。また、キャリー箱１を単体で取り扱っているときに天部３の平板状部分３ａに触れることがあっても、この平板状部分３ａが不必要に落ち込むことを簡単に防止できる。
【００３３】
（手提げ孔形成予定部）
天部３の上記平板状部分３ａを構成している内方の蓋板１３における蓋板平面部１７と外方の蓋板１４における蓋板平面部２２とのそれぞれには、二つの手提げ孔形成予定部３０が設けられている。この手提げ孔形成予定部３０は、かご本体２の正面板４と背面板５とが対向する方向に離間していて、前記蓋板平面部１７、２２それぞれでの天部正面板側と天部背面板側とに配置されている。
【００３４】
手提げ孔形成予定部３０それぞれは、切り込み形成されて折り下げ可能とした閉鎖片３０ａで閉じられた部分であって、略Ｃ字状の切り込み３０ｂとこの切り込み３０ｂの端部の間に亘る折り罫３０ｃとを蓋板平面部１７、２２に入れて前記閉鎖片３０ａが形成され、この閉鎖片３０ａに指先などを当てて押し込むことで折り罫３０ｃの位置から閉鎖片３０ａが折り下げられ、これによって手提げ孔３１が得られるようにしている。
【００３５】
手提げ孔形成予定部３０は蓋板平面部１７、２２の中心（正面板４と背面板５との対向方向に直交する方向での中心線位置）を間にして対称となるようにして配置されており、蓋板平面部１７、２２それぞれの天部正面板側に配置された手提げ孔形成予定部３０にあっては、上記ブランクの状態で図示されているように折り罫３０ｃを蓋板平面部１７、２２それぞれの中央側にするとともに、切り込み３０ｂの直線部分が山折り部１９に沿うように位置していて、天部背面板側に配置された手提げ孔形成予定部３０も、同様に折り罫３０ｃを蓋板平面部１７、２２それぞれの中央側にするとともに、切り込み３０ｂの直線部分が山折り部１９に沿うように位置している。
【００３６】
そして、蓋板平面部１７、２２に設けられた外方となる手提げ孔形成予定部３０と内方となる手提げ孔形成予定部３０とは、天部３の平板状部分３ａでの蓋板重ね合わせ状態で重なる位置にして配置されており、外方側から手提げ孔形成予定部３０を押し込むことで内外方の手提げ孔形成予定部３０にある閉鎖片３０ａが一度に折り下げられて、手提げ孔３１が簡単に形成されるものとなっている。
【００３７】
（山折り予定部）
また、内方の蓋板平面部１７と外方の蓋板平面部２２とのそれぞれには、上記天部中心を通る位置に亘って屈曲可能な山折り予定部３２を有している。この山折り予定部３２それぞれは上方に凸にして屈曲させることができ、上記山折り部１９や折り罫部１５と同じようにキャリー箱１の包材に折り罫を入れて形成されている部分である。そして、キャリー箱１が上下に複数段にして積み重ねができる形態としているときには、山折り予定部３２は折り曲げられておらず、この山折り予定部３２を中央に配している蓋板平面部１７、２２それぞれが上下に重ね合わされることで、天部３の平板状部分３ａが平らになっている。
【００３８】
なお、キャリー箱１が上下に複数段にして積み重ねができる形態では、上記山折り部１９は図示のように略直角に折り曲げられており、折り罫部１５の部分については屈曲していない。そして、本実施の例のキャリー箱１は、天部３に手をかけて手提げにて持ち運びする際に、後述するように天部３の形状を変化させることができるものであって、手提げの形態とするために、前記山折り部１９の開きや折り罫部１５の屈曲を伴ないながら天部３の平板状部分３ａを山形に屈曲させることができる。
【００３９】
（手提げ）
図示されているように外方にある山折り予定部３２と内方にある山折り予定部３２とは、蓋板重ね合わせ状態で重なる位置にして配置されている。そして、内外方の山折り予定部３２が重なる位置に配置されていることから、キャリー箱１を手提げするために天部３に加える変形の操作の一つとして、平面状部分３ａでの天部中心（山折り予定部が配置されている部分）を下方から押し上げるなどすることで、内外方の山折り予定部３２が一度に上方に向けて凸に屈曲することができるものとなっている。
【００４０】
図４と図５は手提げすることができるキャリー箱１を示している。この図４と図５に示すように平板状部分３ａの内外方の山折り予定部３２を上方に凸に屈曲させて、天部３が上方に凸の山形に変形しており、図５に示すように内外二重にして重ね合わされている山折り予定部３２の部分が上方に凸に屈曲することで、山折り部１９の開きと折り罫部１５の屈曲とが伴なわせながら天部３全体が上部に凸の山形に変形する。
【００４１】
また天部３が山形に変形することで、天部正面板側の内外二重にして重ね合わされている手提げ孔形成予定部３０と天部背面板側の内外二重にして重ね合わされている手提げ孔形成予定部３０とが近付くようになり、この手提げ孔形成予定部３０それぞれの閉鎖片３０ａを折り下げして、手提げ孔３１を形成することができる。（図５参照）
【００４２】
特に実施の例においては、近付いた天部正面板側に位置する手提げ孔３１と天部背面板側に位置する手提げ孔３１とに片手の指先を通すことで、折り曲げられた平板状部分３ａを片手で握り持つことができるようにしており、手提げ孔３１に指先を掛けて手提げすれば極めて簡単にして、且つ確実にキャリー箱１を支持できる。
【００４３】
勿論、手提げ孔３１を形成した後に天部３を山形に変形したり、或いは手提げ孔形成予定部３０に指先を当てて片手で平板状部分３ａを山折り予定部３２から二つ折りさせながら握るようにすることで、天部３を山形に変化させて手提げ孔３１を形成するようにしてもよい。
【００４４】
上記キャリー箱においては底をボトムロック形式にて閉鎖されるものとして説明したが、通常のフラップの折り込みにより閉じられる構成とすることが可能である。またキャリー箱は紙製の包材からなるものとして説明したが、本発明は上記実施の例に限定されるものではなく、例えば、キャリー箱を透明な合成樹脂製の包材からなるものとすることも可能である。
【符号の説明】
【００４５】
１…キャリー箱
２…かご本体
３…天部
３ａ…平板状部分
４…正面板
５…背面板
１３、１４…蓋板
１６、２１…蓋板基端面部
１７、２２…蓋板平面部
１８、２３…蓋板先端面部
１９…山折り部
２４…差し込み板部
２５、２７…係止孔
２９…収容空間の高さ
３０…手提げ孔形成予定部
３０ａ…閉鎖片
３１…手提げ孔
３２…山折り予定部
【図１】
0006717601.tif 000002
【図２】
0006717601.tif 000003
【図３】
0006717601.tif 000004
【図４】
0006717601.tif 000005
【図５】
0006717601.tif 000006